(57)【要約】【課題】補助者がインジケータによって排尿量を適切に把握し、適切なタイミングに吸収性物品の交換を行うことができる吸収性物品を提供する。【解決手段】使い捨ておむつ(10)は、吸収コア(31)と、吸収コアよりも非肌面側において前後方向に延びて配置され、水分との接触によって変色するインジケータ(70)と、を含む。インジケータは、吸収性物品の幅方向の中央に配置されたセンターインジケータ(71)と、センターインジケータの幅方向の外側に配置された一対のサイドインジケータ(72)と、を有する。水分との接触によって変色した変色後において、センターインジケータとサイドインジケータは、視覚的に異なる。【選択図】図２
2020065898.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
吸収コアと、
前記吸収コアよりも非肌面側において前記前後方向に延びて配置され、水分との接触によって変色するインジケータと、を含む吸収性物品であって、
前記インジケータは、前記吸収性物品の前記幅方向の中央に配置されたセンターインジケータと、前記センターインジケータの前記幅方向の外側に配置された一対のサイドインジケータと、を有し、
水分との接触によって変色した変色後において、前記センターインジケータと前記サイドインジケータは、視覚的に異なる、吸収性物品。
【請求項２】
前記股下域における前記幅方向に沿った仮想線上において、前記センターインジケータの前記幅方向の長さと、前記仮想線上における前記サイドインジケータの前記幅方向の長さと、は異なる、請求項１に記載の吸収性物品。
【請求項３】
前記センターインジケータの前記幅方向の最大長さは、前記サイドインジケータの前記幅方向の最大長さよりも長い、請求項１又は請求項２に記載の吸収性物品。
【請求項４】
前記センターインジケータ及び前記サイドインジケータのうちの一方は、複数の構成要素が前記前後方向に並んだ集合体によって構成されており、
前記センターインジケータ及び前記サイドインジケータのうちの他方は、前記前後方向に延びるラインによって構成されている、請求項１から請求項３のいずれか１項に記載の吸収性物品。
【請求項５】
前記構成要素は、図柄を含む、請求項４に記載の吸収性物品。
【請求項６】
前記センターインジケータ及び前記サイドインジケータは、複数の構成要素が前記前後方向に並んだ集合体によって構成されており、
前記センターインジケータの構成要素と前記サイドインジケータの構成要素は、視覚的に異なる、請求項１から請求項３のいずれか１項に記載の吸収性物品。
【請求項７】
前記センターインジケータの構成要素と前記サイドインジケータの構成要素は、相互作用的に無関係である、請求項６に記載の吸収性物品。
【請求項８】
前記センターインジケータの構成要素の最大長さは、前記サイドインジケータの構成要素の最大長さと異なる、請求項６又は請求項７に記載の吸収性物品。
【請求項９】
前記幅方向における前記センターインジケータと前記サイドインジケータとの間の領域には、前記吸収コアを厚さ方向に変形させる変形誘導部が設けられている、請求項１から請求項８のいずれか１項に記載の吸収性物品。
【請求項１０】
前記センターインジケータ及び前記サイドインジケータのうちの一方は、直線状であり、
前記センターインジケータ及び前記サイドインジケータのうちの他方は、曲線状である、請求項１から請求項９のいずれか１項に記載の吸収性物品。
【請求項１１】
前記センターインジケータ及び前記サイドインジケータは、少なくとも前記股下域及び前記前胴回り域に配置されており、
前記センターインジケータの前端縁は、前記サイドインジケータの前端縁よりも前側に位置する、請求項１から請求項１０のいずれか1項に記載の吸収性物品。
【発明の詳細な説明】
【技術分野】
【０００１】
本発明は、インジケータを有する吸収性物品に関する。
【背景技術】
【０００２】
従来、水分との接触によって変色するインジケータを有する吸収性物品が提供されている。例えば、特許文献１の吸収性物品は、前後方向に延びる３本のインジケータを有する。３本のインジケータは、センターインジケータと、センターインジケータの幅方向の外側に配置された一対のサイドインジケータと、を有する。
【先行技術文献】
【特許文献】
【０００３】
【特許文献１】特開２０１７−５０１７６８号公報
【発明の概要】
【発明が解決しようとする課題】
【０００４】
母親等の補助者は、吸収性物品を着用者に装着した状態で吸収性物品の外側からインジケータを確認し、吸収性物品の交換タイミングを把握する。このとき、補助者によっては、着用者が吸収性物品と衣服を着用した状態で、衣服の隙間から吸収性物品のインジケータを確認したり、衣服の一部をめくってインジケータを確認したりして、インジケータの全体を十分に確認できないことがある。
【０００５】
インジケータの全体を確認できない場合、補助者は、サイドインジケータとセンターインジケータを区別して認識できず、サイドインジケータとセンターインジケータとを誤認して排尿量を適切に把握できないことがある。排尿量を適切に把握できないことにより、適切なタイミングに吸収性物品の交換を行うことができず、漏れが発生することがある。
【０００６】
よって、補助者がインジケータによって排尿量を適切に把握し、適切なタイミングに吸収性物品の交換を行うことができる吸収性物品が望まれる。
【課題を解決するための手段】
【０００７】
一態様に係る吸収性物品は、互いに直交する前後方向及び幅方向と、前胴回り域、後胴回り域、及び前記前胴回り域及び前記後胴回り域との間に配置された股下域と、吸収コアと、前記吸収コアよりも非肌面側において前記前後方向に延びて配置され、水分との接触によって変色するインジケータと、を含む吸収性物品であって、前記インジケータは、前記吸収性物品の前記幅方向の中央に配置されたセンターインジケータと、前記センターインジケータの前記幅方向の外側に配置された一対のサイドインジケータと、を有し、水分との接触によって変色した変色後において、前記センターインジケータと前記サイドインジケータは、視覚的に異なる。
【図面の簡単な説明】
【０００８】
【図１】図１は、実施の形態に係る吸収性物品を肌面側から見た模式平面図である。
【図２】図２は、実施の形態に係る吸収性物品を非肌面側から見た模式平面図である。
【図３】図３は、図１に示す３Ａ−３Ａ線に沿った模式断面図である。
【図４】図４は、図３を基準とした断面における着用状態を模式的に示した図である。
【図５】図５は、変形例１から３に係るインジケータを示した図である。
【図６】図６は、変形例４から６に係るインジケータを示した図である。
【０００９】
（１）実施形態の概要
一態様に係る吸収性物品は、互いに直交する前後方向及び幅方向と、前胴回り域、後胴回り域、及び前記前胴回り域及び前記後胴回り域との間に配置された股下域と、吸収コアと、前記吸収コアよりも非肌面側において前記前後方向に延びて配置され、水分との接触によって変色するインジケータと、を含む吸収性物品であって、前記インジケータは、前記吸収性物品の前記幅方向の中央に配置されたセンターインジケータと、前記センターインジケータの前記幅方向の外側に配置された一対のサイドインジケータと、を有し、水分との接触によって変色した変色後において、前記センターインジケータと前記サイドインジケータは、視覚的に異なる。
【００１０】
変色後におけるセンターインジケータとサイドインジケータが視覚的に異なるため、補
助者は、センターインジケータとサイドインジケータを区別して把握できる。よって、補
助者は、インジケータ全体を視認できない場合であっても、センターインジケータのみが
反応した状態であるのか、サイドインジケータのみが反応した状態であるのか、センター
インジケータのどの部分まで反応した状態であるのか、等、インジケータの反応状態を適
切に把握できる。よって、排尿量を適切に把握し易く、適切なタイミングに吸収性物品の
交換を行うことができる。
【００１１】
好ましい一態様によれば、前記股下域における前記幅方向に沿った仮想線上において、前記センターインジケータの前記幅方向の長さと、前記仮想線上における前記サイドインジケータの前記幅方向の長さと、は異なってよい。
【００１２】
補助者がロンパース等の衣服を一部めくって吸収性物品のインジケータを確認する際は、吸収性物品の股下域を視認し易い。股下域においてセンターインジケータの幅方向の長さとサイドインジケータの幅方向の長さが異なるため、補助者は、センターインジケータとサイドインジケータを区別して把握できる。よって、補助者は、インジケータの反応状態を適切に把握し、排尿量を適切に把握し易い。
【００１３】
好ましい一態様によれば、前記センターインジケータの前記幅方向の最大長さは、前記サイドインジケータの前記幅方向の最大長さよりも長くてよい。
【００１４】
センターインジケータは、吸収性物品の前記幅方向の中央に配置されており、着用者の排泄口に対向して配置され、排泄がなされた際に反応しやすい。センターインジケータの最大長さが長いため、センターインジケータが目立ちやすくなる。補助者は、センターインジケータによって排泄の有無を把握でき、適切なタイミングに吸収性物品の交換を行うことができる。
【００１５】
好ましい一態様によれば、前記センターインジケータ及び前記サイドインジケータのうちの一方は、複数の構成要素が前後方向に並んだ集合体によって構成されており、前記センターインジケータ及び前記サイドインジケータのうちの他方は、前後方向に延びるラインによって構成されてよい。
【００１６】
補助者は、センターインジケータとサイドインジケータを区別して把握できる。よって、補助者は、インジケータの反応状態を適切に把握し、排尿量を適切に把握し易い。
【００１７】
好ましい一態様によれば、前記構成要素は、図柄を含んでよい。
【００１８】
補助者は、図柄の有無によってセンターインジケータとサイドインジケータを区別して把握できる。よって、補助者は、インジケータの反応状態を適切に把握し、排尿量を適切に把握し易い。
【００１９】
好ましい一態様によれば、前記センターインジケータ及び前記サイドインジケータは、複数の構成要素が前後方向に並んだ集合体によって構成されており、前記センターインジケータの構成要素と前記サイドインジケータの構成要素は、視覚的に異なってよい。
【００２０】
補助者は、構成要素の違いによってセンターインジケータとサイドインジケータを区別して把握し、インジケータの反応状態を適切に把握し、排尿量を適切に把握し易い。
【００２１】
好ましい一態様によれば、前記センターインジケータの構成要素と前記サイドインジケータの構成要素は、相互作用的に無関係であってよい。
【００２２】
構成要素同士が相互作用的に無関係であるため、補助者は、センターインジケータの構成要素と前記サイドインジケータの構成要素を別の構成要素として認識し、混同しにくくなる。よって、補助者は、センターインジケータとサイドインジケータを区別して把握できる。よって、補助者は、インジケータの反応状態を適切に把握し、排尿量を適切に把握し易い。
【００２３】
好ましい一態様によれば、前記センターインジケータの構成要素の最大長さは、前記サイドインジケータの構成要素の最大長さと異なってよい。
【００２４】
補助者は、センターインジケータの構成要素と前記サイドインジケータの構成要素を別の構成要素として認識し、混同しにくくなる。よって、補助者は、センターインジケータとサイドインジケータを区別して把握し、インジケータの反応状態を適切に把握し、排尿量を適切に把握し易い。
【００２５】
好ましい一態様によれば、前記幅方向における前記センターインジケータと前記サイドインジケータとの間の領域には、前記吸収コアを厚さ方向に変形させる変形誘導部が設けられてよい。
【００２６】
着用状態において、吸収コアが変形誘導部によって厚さ方向に変形することにより、変形誘導部よりも幅方向の内側に位置するセンターインジケータの位置と、変形誘導部よりも幅方向の外側に位置するサイドインジケータの位置と、が厚さ方向にずれる。補助者が吸収性物品の外側からインジケータを視認した際に、厚さ方向の位置の違いによって、センターインジケータとサイドインジケータを区別して把握できる。よって、補助者は、インジケータの反応状態を適切に把握し、排尿量を適切に把握し易い。
【００２７】
好ましい一態様によれば、前記センターインジケータ及び前記サイドインジケータのうちの一方は、直線状であり、前記センターインジケータ及び前記サイドインジケータのうちの他方は、曲線状であってよい。
【００２８】
補助者は、センターインジケータとサイドインジケータを区別して把握できる。よって、補助者は、インジケータの反応状態を適切に把握し、排尿量を適切に把握し易い。
【００２９】
好ましい一態様によれば、前記センターインジケータ及び前記サイドインジケータは、少なくとも前記股下域及び前記前胴回り域に配置されており、前記センターインジケータの前端縁は、前記サイドインジケータの前端縁よりも前側に位置してよい。
【００３０】
センターインジケータは、吸収性物品の前記幅方向の中央に配置されており、着用者の排泄口に対向して配置され、排泄がなされた際に反応しやすい。また、排泄口は、吸収性物品の幅方向中央かつ前後方向の中央に対向するように概ね配置されており、当該対向する部分から前後方向及び幅方向に円心状に拡散する。よって、吸収性物品の幅方向中央では、幅方向側部と比較して前後方向に体液が拡散し易い。センターインジケータの前端縁がサイドインジケータの前端縁よりも前側に位置するため、前側に体液が拡散したことを示し、前漏れを抑制できる。
【００３１】
（２）実施形態の詳細説明
次に、図面を参照して、一実施形態に係る吸収性物品について説明する。本実施形態において、吸収性物品は、テープタイプの吸収性物品である。この代わりに、吸収性物品は、パンツタイプの吸収性物品であってもよい。なお、吸収性物品は、乳幼児用のおむつであってもよく、大人用のおむつであってもよい。
【００３２】
以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３３】
図１は、一実施形態に係る吸収性物品を肌面側から見た模式平面図であり、図２は、吸収性物品を非肌面側から見た模式平面図である。図３は、図１に示す吸収性物品の３Ａ−３Ａ断面に沿った模式断面図であり、図４は、図３を基準とした断面における着用状態を模式的に示した図である。図１から図３に示す図は、伸長状態の吸収性物品を示している。図４に示すラインＢＬは、着用者の身体のラインを示している。図３及び図４に示す模式断面図では、説明の便宜上、各部材を厚さ方向Ｔにおいて離間して示しているが、実際の製品においては厚さ方向Ｔに接している。なお、本発明における伸長状態とは、吸収性物品１０を皺が形成されない状態まで伸長させた状態である。また、本発明における自然状態とは、パッケージに収容されている吸収性物品１０にあっては、パッケージから吸収性物品１０を取り出し、２０℃±２℃、相対湿度６０％±５％ＲＨの雰囲気下において２４時間放置した状態である。
【００３４】
吸収性物品１０は、前後方向Ｌと、幅方向Ｗと、厚さ方向Ｔと、を有する。前後方向Ｌは、着用状態において、吸収性物品１０の腹側と背側とを結ぶ方向である。幅方向Ｗは、吸収性物品１０の平面視で前後方向Ｌに直交する方向である。厚さ方向Ｔは、前後方向Ｌと幅方向Ｗの両方に直交する方向である。非肌面又は非肌面側Ｔ２は、吸収性物品の着用状態において、着用者の肌とは反対側に向く面又は側を意味する。一方、肌面又は肌面側Ｔ１は、吸収性物品の着用状態において、着用者の肌の方に向く面又は側を意味する。
【００３５】
吸収性物品１０は、前胴回り域Ｓ１と、股下域Ｓ３と、後胴回り域Ｓ２と、を有する。前胴回り域Ｓ１は、吸収性物品の使用時に、着用者の前胴回りに面する領域である。後胴回り域Ｓ２は、吸収性物品の使用時に、着用者の後胴回りに面する領域である。股下域Ｓ３は、吸収性物品の使用時に、着用者の股下に位置する領域であり、前胴回り域Ｓ１と後胴回り域Ｓ２との間に位置する。股下域Ｓ３は、着用者の脚回りに配置される脚回り開口部６５が設けられた領域である。脚回り開口部６５は、吸収性物品の外側縁から幅方向の内側に凹む部分である。
【００３６】
吸収性物品１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、ティッシュによって構成され、吸収コア３１よりも肌面側Ｔ１と吸収コア３１よりも非肌面側に配置されてよい。
【００３７】
図１及び図３に示すように、吸収コア３１を含む吸収体３０よりも肌面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏伸縮部４３が設けられてよい。防漏伸縮部４３は、前後方向Ｌに伸縮する糸ゴムによって構成されてよい。サイドシート２２と防漏伸縮部４３は、着用時に肌面側Ｔ１に起立する防漏ギャザーを構成する。
【００３８】
吸収体３０よりも非肌面側Ｔ２には、裏面シート２３及び外装シート２４が設けられてよい。外装シート２４は、裏面シート２３よりも非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００３９】
後胴回り域Ｓ２の外側部には、ファスニングテープ９０が設けられている。ファスニングテープ９０は、ベース部９２と係合部９３を有する。ベース部９２は、厚さ方向Ｔにおいて外装シート２４及びサイドシート２２の間に配置され、幅方向Ｗにおいて外装シート２４及びサイドシート２２から外側に延出している。係合部９３は、ベース部９２上に配置されており、ターゲット部９５に係合する。ターゲット部９５は、前胴回り域Ｓ１において幅方向に間隔を空けて配置されており、ファスニングテープ９０の係合部９３がそれぞれ止着するように構成されている。
【００４０】
使い捨ておむつ１０は、吸収コア３１を厚さ方向に変形させる変形誘導部４０を有してよい。変形誘導部４０は、吸収コア３１に形成されたスリット、吸収材料の坪量が低い低坪量部、吸収コア等を厚さ方向に圧縮したエンボス部、及び吸収コアと厚さ方向に重なって配置された弾性部材のうち、少なくともいずれかによって構成される。図３及び図４に示すように、本実施の形態の変形誘導部４０は、吸収コアに形成されたスリット４１と、吸収コア３１も非肌面側Ｔ２に配置された弾性部材４２と、によって構成されている。
【００４１】
スリット４１は、前後方向Ｌに延び、かつ幅方向Ｗに間隔を空けて配置されている。スリット４１は、吸収コア３１の幅方向Ｗの中心に配置されてなく、吸収コア３１の幅方向Ｗの中心に対する両側に配置されてよい。弾性部材４２は、裏面シート２３と外装シート２４の間に設けられてよい。弾性部材４２は、前後方向Ｌに延び、かつ幅方向Ｗに間隔を空けて配置されている。弾性部材４２は、吸収コア３１の幅方向Ｗの中心に配置されてなく、吸収コア３１の幅方向Ｗの中心に対する両側にそれぞれ２本ずつ配置されている。弾性部材４２は、前後方向Ｌに沿って配置された糸ゴムによって構成されている。なお、他の形態において、弾性部材４２は、前後方向に伸縮する帯状の伸縮シートによって構成されてよいし、１本の糸ゴムによって構成されていてもよいし、３本以上の糸ゴムによって構成されてもよい。
【００４２】
スリット４１と弾性部材４２は、部分的に、厚さ方向において重なってよい。本発明において重なっている状態とは、平面視にて一方の部材と他方の部材が重なっている状態であり、一方の部材の肌面側又は非肌面側に他方の部材が配置されている状態である。重なっている状態では、一方の部材と他方の部材が互いに接している状態のみならず、一方の部材と他方の部材の間に他の部材が介在している構成も含む。
【００４３】
このように構成された吸収性物品１０が着用された状態では、図４に示すように、弾性部材４２の収縮によって、吸収コア３１がスリット４１を基点に変形するとともに、スリット４１及び弾性部材４２が身体側に引き上げられる。一対の弾性部材４２間に位置する領域は、一対の弾性部材４２よりも幅方向の外側の領域に対して身体側に引き上げられる。よって、吸収コア３１の幅方向Ｗの中央が吸収コア３１の側部を基点として凸状に変形し、身体の股間に対するフィット性を確保できる。
【００４４】
吸収性物品１０は、水分との接触によって変色するインジケータ７０を有する。インジケータ７０は、吸収コア３１が体液を吸収することによって変色し、吸収性物品１０の非肌面側Ｔ２から体液の吸収状態を把握できるように構成されている。インジケータ７０は、前後方向Ｌに延びて配置されている。インジケータ７０は、少なくとも前後方向Ｌに延びていればよく、前後方向に延びつつ幅方向にも延びていてもよく、湾曲した曲線状であってもよいし、直線状であってもよい。
【００４５】
インジケータ７０は、少なくとも股下域Ｓ３に設けられており、前胴回り域Ｓ１に設けられていてもよいし、後胴回り域Ｓ２に設けられていてもよい。インジケータ７０は、吸収コア３１よりも非肌面側に配置されてよく、裏面シート２３又は外装シート２４に設けられていてよい。好ましくは、インジケータ７０は、裏面シート２３に設けられていてよい。
【００４６】
インジケータ７０は、吸収性物品１０の幅方向Ｗの中央に配置されたセンターインジケータ７１と、センターインジケータ７１の幅方向Ｗの外側に配置された一対のサイドインジケータ７２と、を有してよい。センターインジケータ７１とサイドインジケータ７２は、幅方向Ｗにおいて間隔を空けて配置されてよい。センターインジケータ７１は、吸収性物品１０の幅方向Ｗの中心を跨いでいればよく、センターインジケータ７１の一部が、吸収性物品１０の幅方向Ｗの中心から離間していてもよい。
【００４７】
水分との接触によって変色した変色後において、センターインジケータ７１とサイドインジケータ７２は、視覚的に異なるように構成されている。変色後におけるセンターインジケータ７１とサイドインジケータ７２が視覚的に異なるため、補助者は、センターインジケータ７１とサイドインジケータ７２を区別して把握できる。よって、補助者は、インジケータ全体を視認できない場合であっても、センターインジケータ７１のみが反応した状態であるのか、サイドインジケータ７２のみが反応した状態であるのか、センターインジケータ７１のどの部分まで反応した状態であるのか等、インジケータ７０の反応状態を適切に把握できる。よって、排尿量を適切に把握し易く、適切なタイミングに吸収性物品の交換を行うことができる。なお、センターインジケータ７１とサイドインジケータ７２は、変色前においても、視覚的に異なるように構成されていてもよい。図２、図５及び図６に示すインジケータ７０は、変色後の状態を示している。
【００４８】
ここで、「視覚的に異なる」とは、大きさ（前後方向の長さ、幅方向の長さ）、形状、外形状（直線状、曲線状）、色、濃さの少なくともいずれかが異なっていることであり、触覚ではなく、視覚にて異なると認識できる構成であればよい。また、変色後に、センターインジケータ７１とサイドインジケータ７２が視覚的に異なっていればよく、変色前において、センターインジケータ７１とサイドインジケータ７２が視覚的に同じであってもよい。なお、本発明における「視覚的に異なる」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに区別できる事を意味している。
【００４９】
センターインジケータ７１とサイドインジケータ７２の色が異なる形態にあっては、センターインジケータ７１の色がサイドインジケータ７２色とは反対色に属する色によって形成されてよい。この構成によれば、補助者は、センターインジケータ７１とサイドインジケータ７２との違いをより認識しやすくなる。ここで、ある色の反対色は、色相を２０等分したマンセル表色系に基づく色相環において、ある色の補色（色相環で反対側に位置する色）と、当該補色の１つ及び２つ隣の色と、を意味するものとする。
【００５０】
股下域Ｓ３における幅方向に沿った仮想線ＶＬ上において、センターインジケータ７１の幅方向の長さＷ７１と、仮想線ＶＬ上におけるサイドインジケータ７２の幅方向Ｗの長さと、は異なっていてよい。補助者がロンパース等の衣服を一部めくって吸収性物品１０のインジケータ７０を確認する際は、吸収性物品の股下域Ｓ３を視認し易い。股下域Ｓ３においてセンターインジケータ７１の幅方向の長さＷ７１とサイドインジケータ７２の幅方向の長さＷ７２が異なるため、補助者は、センターインジケータ７１とサイドインジケータ７２を区別して把握できる。よって、補助者は、インジケータ７０の反応状態を適切に把握し、排尿量を適切に把握し易い。
【００５１】
なお、股下域Ｓ３における仮想線ＶＬのうち、いずれかの仮想線ＶＬ上において、センターインジケータ７１の幅方向の長さＷ７１と、サイドインジケータ７２の幅方向の長さＷ７２と、が異なっていればよく、任意の仮想線ＶＬ上において、センターインジケータ７１の幅方向の長さＷ７１と、サイドインジケータ７２の幅方向の長さ７２と、が同じであってもよい。
【００５２】
乳幼児のようなユーザは、ロンパースのように、股下領域を開放できるような衣服を身に着けることが多い。この場合、補助者は、衣服の股下領域を開放することによって吸収性物品の股下域に設けられたインジケータ７０を視認し、尿が付着しているかどうかを判断する。ここで、ロンパースのような衣服では、股下域Ｓ３において、前後方向に３０ｍｍ程度かつ幅方向に３０ｍｍ程度の隙間が生じ得る。よって、吸収性物品の幅方向の中心を含む３０ｍｍの範囲及び吸収性物品の前後方向の中心を含む３０ｍｍの範囲内において、センターインジケータ７１とサイドインジケータ７２を視認できるように構成されていていることが好ましい。
【００５３】
センターインジケータ７１の幅方向Ｗの最大長さＷＭ７１と、サイドインジケータ７２の幅方向Ｗの最大長さＷＭ７２と、は異なっていてもよい。補助者は、センターインジケータ７１とサイドインジケータ７２を区別して把握できる。よって、補助者は、インジケータの反応状態を適切に把握し、排尿量を適切に把握し易い。
【００５４】
好適には、センターインジケータ７１の幅方向Ｗの最大長さＷＭ７１は、サイドインジケータ７２の幅方向の最大長さＷＭ７２よりも長くてよい。センターインジケータ７１は、吸収性物品の幅方向の中央に配置されており、着用者の排泄口に対向して配置され、排泄がなされた際に反応しやすい。センターインジケータ７１の最大長さＷＭ７１が長いため、センターインジケータ７１が目立ちやすくなる。補助者は、センターインジケータ７１によって排泄の有無を把握でき、適切なタイミングに吸収性物品の交換を行うことができる。
【００５５】
また、センターインジケータ７１の前後方向の長さＬ７１は、サイドインジケータ７２の前後方向の長さＬ７２よりも長くてよい。この構成によれば、センターインジケータ７１が目立ちやすくなる。補助者は、センターインジケータ７１によって排泄の有無を把握でき、適切なタイミングに吸収性物品の交換を行うことができる。
【００５６】
センターインジケータ７１及びサイドインジケータ７２のそれぞれは、複数の構成要素が前後方向に並んだ集合体によって構成されてよい。具体的には、センターインジケータ７１は、構成要素としてのセンター構成要素７１Ｃを複数有する。サイドインジケータ７２は、構成要素としてのサイド構成要素７２Ｃを複数有する。センター構成要素７１Ｃ及びサイド構成要素７２Ｃは、前後方向又は幅方向において間隔を空けて配置されてよい。構成要素は、間隔を空けて配置され、インジケータを構成するものであればよく、図柄、数字、文字によって構成されてよい。
【００５７】
センター構成要素７１Ｃとサイド構成要素７２Ｃは、視覚的に異なってよい。補助者は、構成要素の違いによってセンターインジケータ７１とサイドインジケータ７２を区別して把握できる。よって、補助者は、インジケータの反応状態を適切に把握し、排尿量を適切に把握し易い。本実施の形態のセンター構成要素７１Ｃは、花の図柄と、葉っぱの図柄と、の組み合わせであり、サイド構成要素７２Ｃは、星の図柄である。センター構成要素７１Ｃ及び／又はサイド構成要素７２Ｃが複数の図柄を有する場合には、複数の図柄のうち、いずれかが異なっていればよい。
【００５８】
センター構成要素７１Ｃとサイド構成要素７２Ｃは、相互作用的に無関係であってよい。構成要素が相互作用的に無関係であるため、補助者は、センター構成要素とサイド構成要素を別の構成要素として認識し、混同しにくくなる。よって、センターインジケータ７１とサイドインジケータ７２を区別して把握できる。よって、補助者は、インジケータの反応状態を適切に把握し、排尿量を適切に把握し易い。
【００５９】
ここで、「相互作用的に無関係」とは、一方の構成要素が行動、活動に関わっているか又はそれを実行しているように描かれており、他方の構成要素が、行動や活動の対象でもなく行動や活動に関連もない場合には、相互作用的に無関係である。また、他の例としては、植物、動物、人物、食べ物、抽象的な図柄（ハート、ダイヤ、星）として図柄を分類した際に、当該分類が異なる構成要素は、相互作用的に無関係である。例えば、本実施の形態のように、センター構成要素としての花の図柄及び葉っぱの図柄は、植物の分類に属し、サイド構成要素は、抽象的な図柄に分類され、これらは相互作用的に無関係である。また、抽象的な図柄の分類内においても、関連性がない図柄同士は、相互作用的に無関係であり、例えば、星の図柄とハートの図柄は関連性がなく、相互作用的に無関係である。
【００６０】
センター構成要素７１Ｃ又はサイド構成要素７２Ｃは、前後方向Ｌに隣接する構成要素の種別又は向きが互いに異なってよい。図２に示す例では、互いに隣接するセンター構成要素７１Ｃは、花の図柄及び葉っぱの図柄であり、その種類が異なる。この代わりに、互いに隣接する構成要素の種類は同じものであり、その向きのみが異なっていてもよい。このように、互いに隣接する構成要素の種別又は向きが異なっていると、補助者は、構成要素のどの箇所まで尿が達しているか判別し易くなる。また、補助者は、どの種別又は向きの構成要素まで尿が達しているかという情報を乳幼児のようなユーザに伝えることにより、母子間のコミュニケーションの１つのきっかけにもなり得る。
【００６１】
センター構成要素７１Ｃの最大長さは、サイド構成要素７２Ｃの最大長さと異なってよい。構成要素の最大長さは、構成要素の前後方向の最大長さであってもよいし、構成要素の幅方向の最大長さであってもよい。補助者は、センター構成要素７１Ｃとサイド構成要素７２Ｃを別の構成要素として認識し、混同しにくくなる。よって、センターインジケータ７１とサイドインジケータ７２を区別して把握でき、インジケータの反応状態を適切に把握し、排尿量を適切に把握し易い。
【００６２】
本実施の形態のセンター構成要素７１Ｃの最大長さは、センター構成要素７１Ｃの幅方向の最大長さＷＭ７１Ｃであり、センターインジケータ７１の幅方向の最大長さＷＭ７１となる。また、サイド構成要素７２Ｃの最大長さは、サイド構成要素７２Ｃの幅方向の最大長さＷＭ７２Ｃであり、サイドインジケータ７２の幅方向の最大長さＷＭ７２となる。センター構成要素７１Ｃの最大長さは、サイド構成要素７２Ｃの最大長さよりも長い。
【００６３】
インジケータの構成要素は、一方向に間隔をあけて複数並んでいてよい。本実施形態では、構成要素は、前後方向Ｌに沿って並んでいる。互いに隣接する構成要素どうしの間の距離は、構成要素同士が並ぶ方向における構成要素の長さよりも短いことが好ましい。これにより、複数の構成要素が、比較的短い間隔で一方向に並ぶため、補助者は、構成要素の集合体全体としてのインジケータを認識し易い。また、構成要素が比較的短い間隔で一方向に並ぶため、吸収性物品１０のどの領域まで尿が達しているかを判別し易くなる。
【００６４】
構成要素は、一方向、例えば前後方向Ｌに、１０ｍｍ以上かつ３０ｍｍ未満のピッチで複数並んでいることが好ましい。ピッチは、隣接する方向における構成要素の中心間の距離である。ロンパースのような衣服では、股下域Ｓ３に対向する位置のボタンを外すと、股下域Ｓ３において前後方向Ｌに３０ｍｍ程度の隙間が生じる。構成要素が、１０ｍｍ以上かつ３０ｍｍ未満のピッチで複数並んでいれば、３０ｍｍ程度の隙間（ロンパースの隙間）から、少なくとも１つの構成要素の全体が確認できる。これにより、ロンパースの隙間から、吸収性物品の股下域Ｓ３に尿が付着しているかどうかを容易に把握することができる。
【００６５】
構成要素の幅方向の長さは、４ｍｍ以上、かつ２０ｍｍ以下であることが好ましい。乳幼児のようなユーザは、ロンパースのように、股下領域を開放できるような衣服を身に着けることが多い。この場合、例えば親のような補助者は、衣服の股下領域を開放することによって吸収性物品の股下域に設けられた構成要素を視認し、尿が付着しているかどうかを判断する。ここで、ロンパースのような衣服では、股下域において、幅方向に３０ｍｍ程度の隙間が生じ得る。この場合、幅方向Ｗにおける構成要素の長さが２０ｍｍ以下であることにより、インジケータの周りの領域が十分に視認できるため、補助者は、周りの領域との相違により構成要素を認識しやすくなる。
【００６６】
また、幅方向Ｗにおける構成要素の長さが４ｍｍ以上であることにより、構成要素が小さくなりすぎることを防止し、補助者は構成要素を認識しやすくなる。
【００６７】
構成要素が並ぶ方向、例えば前後方向Ｌにおいて、構成要素の長さは、１５ｍｍ以上であることが好ましい。ロンパースのような衣服では、股下域において、前述したように、３０ｍｍ程度の隙間が生じ得る。したがって、構成要素の長さが１５ｍｍ以上であれば、３０ｍｍ程度の隙間に対する構成要素のサイズを確保することができる。これにより、補助者は、３０ｍｍ程度の隙間から構成要素を認識しやすくなる。
【００６８】
補助者にインジケータ７０を認識しやすくするためには、３０ｍｍ程度の隙間から、１つ、好ましくは２つの構成要素を視認可能にすることが好ましい。さらに、構成要素が小さくなりすぎないよう、３０ｍｍ程度の隙間から見える構成要素は３未満であることがより好ましい。このような条件を考慮すると、構成要素の一方向の長さは９〜２９ｍｍの範囲であり、かつ構成要素同士の間の距離は１〜２１ｍｍの範囲であってよい。
【００６９】
変形誘導部４０は、幅方向Ｗにおけるセンターインジケータ７１とサイドインジケータ７２との間の領域に配置されてよい。変形誘導部４０の少なくとも一部がセンターインジケータ７１とサイドインジケータ７２との間の領域に配置されていればよく、変形誘導部４０が部分的にセンターインジケータ７１と重なっていてもよいし、変形誘導部４０が部分的にサイドインジケータ７２と重なっていてもよい。
【００７０】
着用状態において、吸収コア３１が変形誘導部４０によって厚さ方向に変形することにより、変形誘導部４０よりも幅方向Ｗの内側に位置するセンターインジケータ７１の位置と、変形誘導部４０よりも幅方向の外側に位置するサイドインジケータ７２の位置と、が厚さ方向Ｔにずれる。補助者が吸収性物品１０の外側からインジケータ７０を視認した際に、厚さ方向Ｔの位置の違いによって、センターインジケータ７１とサイドインジケータ７２を区別して把握できる。よって、補助者は、インジケータの反応状態を適切に把握し、排尿量を適切に把握し易い。
【００７１】
センターインジケータ７１及びサイドインジケータ７２は、少なくとも股下域Ｓ３及び前胴回り域Ｓ１に配置されてよい。センターインジケータ７１の前端縁７１Ｆは、サイドインジケータ７２の前端縁７２Ｆよりも前側に位置してよい。センターインジケータ７１は、吸収性物品の幅方向の中央に配置されており、着用者の排泄口に対向して配置され、排泄がなされた際に反応しやすい。また、排泄口は、吸収性物品の幅方向中央かつ前後方向の中央に対向するように概ね配置されており、当該対向する部分から前後方向及び幅方向に円心状に拡散する。よって、吸収性物品の幅方向中央では、幅方向側部と比較して前後方向に体液が拡散し易い。センターインジケータ７１の前端縁がサイドインジケータ７２の前端縁よりも前側に位置するため、前側に体液が拡散したことを示し、前漏れを抑制できる。
【００７２】
なお、センターインジケータ７１の後端縁７１Ｒは、サイドインジケータ７２の後端縁７２Ｒよりも後側に位置してよい。着用者が背を向けた状態等、補助者が着用者の背側からインジケータ７０を確認する場合や臀部の一部のみが視認可能な場合においても、インジケータを視認し易い。また、センターインジケータ７１の後端縁７１Ｒがサイドインジケータ７２の後端縁７２Ｒよりも後側に位置するため、後側に体液が拡散したことを示し、後漏れを抑制できる。
【００７３】
次いで、図５及び図６に基づいて変形例に係る吸収性物品について説明する。図５及び図６は、吸収性物品の非肌面側から見た平面図であり、変形例に係るインジケータを示している。なお、以下の変形例の説明において、上述の実施の形態と同様の構成にあっては、同符号を用いて説明を省略する。変形例１から６に係るインジケータは、上述の実施形態と同様に、センターインジケータ７１とサイドインジケータ７２が視覚的に異なるように構成され、両者が区別され易く構成されている。
【００７４】
図５（ａ）は、変形例１に係るインジケータ７０１を示している。センターインジケータ７１及びサイドインジケータ７２の両方は、前後方向に延びる直線状のラインによって構成されている。変形例１に係るセンターインジケータ７１の前後方向の長さＬ７１は、変形例１に係るサイドインジケータ７２の前後方向の長さＬ７２と同じである。センターインジケータ７１の幅方向の長さＷ７１は、サイドインジケータ７２の幅方向の長さＷ７２よりも長い。
【００７５】
図５（ｂ）は、変形例２に係るインジケータ７０２を示している。変形例２に係るセンター構成要素７１Ｃの前後方向のピッチＰ７１は、変形例２に係るサイド構成要素７２Ｃの前後方向のピッチＰ７２と異なる。変形例２に係るピッチＰ７１がピッチＰ７２よりも短いことにより、センター構成要素７１Ｃが密に配置され、センターインジケータ７１を目立たせることができる。
【００７６】
図５（ｃ）は、変形例３に係るインジケータ７０３を示している。センターインジケータ７１及びサイドインジケータ７２のうちの一方は、複数の構成要素が前後方向に並んだ集合体によって構成されており、センターインジケータ７１及びサイドインジケータ７２のうちの他方は、前後方向Ｌに延びるラインによって構成されている。具体的には、センターインジケータ７１は、センター構成要素７１Ｃが前後方向Ｌに並んだ集合体によって構成されており、サイドインジケータ７２は、前後方向Ｌに延びる直線状のラインによって構成されている。変形例３に係るインジケータによれば、補助者は、センターインジケータ７１とサイドインジケータ７２を区別して把握できる。変形例３のセンター構成要素７１Ｃは、星の図柄を含んでいる。補助者は、図柄の有無によってセンターインジケータ７１とサイドインジケータ７２を区別して把握できる。よって、補助者は、インジケータ７０の反応状態を適切に把握し、排尿量を適切に把握し易い。
【００７７】
また、他の変形例において、サイドインジケータ７２は、複数の構成要素が前後方向に並んだ集合体によって構成されており、センターインジケータ７１は、前後方向に延びる直線状又は曲線状のラインによって構成されていてもよい。
【００７８】
図６（ａ）は、変形例４に係るインジケータ７０４を示している。変形例４に係るセンター構成要素７１Ｃの前後方向の長さＬ７１Ｃは、サイド構成要素７２Ｃの前後方向の長さＬ７２Ｃと異なり、センター構成要素７１Ｃの前後方向の間隔Ｇ７１は、サイド構成要素７２Ｃの前後方向の間隔Ｇ７２と異なっている。具体的には、センター構成要素７１Ｃの前後方向の長さＬ７１Ｃは、サイド構成要素７２Ｃの前後方向の長さＬ７２Ｃよりも長く、センター構成要素７１Ｃの前後方向の間隔Ｇ７１は、サイド構成要素７２Ｃの前後方向の間隔Ｇ７２よりも短い。
【００７９】
図６（ｂ）は、変形例５に係るインジケータ７０５を示している。センターインジケータ７１及びサイドインジケータ７２の一方は、直線状であり、センターインジケータ７１及びサイドインジケータ７２の他方は、曲線状である。具体的には、センターインジケータ７１は、前後方向に沿う直線状であり、サイドインジケータ７２は、幅方向の内側に向かって湾曲する曲線状である。また、他の変形例において、サイドインジケータ７２は、前後方向に沿う直線状であり、センターインジケータ７１は、曲線状であってもよい。
【００８０】
図６（ｃ）は、変形例６に係るインジケータ７０６を示している。変形例６に係るセンターインジケータ７１の幅方向の長さは、変化しており、サイドインジケータ７２の幅方向の長さは、変化している。仮想線を構成する任意の第１仮想線ＶＬ１上におけるセンターインジケータ７１の幅方向の長さＷ７１は、サイドインジケータ７２の幅方向の長さＷ７２よりも長く、任意の第２仮想線ＶＬ２上におけるセンターインジケータ７１の幅方向の長さＷ７１は、サイドインジケータ７２の幅方向の長さＷ７２よりも短い。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００８２】
本態様によれば、補助者がインジケータによって排尿量を適切に把握し、適切なタイミングに吸収性物品の交換を行うことができる吸収性物品を提供できる。
【符号の説明】
【００８３】
１０    吸収性物品
３１    吸収コア
４１    スリット（変形誘導部）
４２    弾性部材（変形誘導部）
７０    インジケータ
７１    センターインジケータ
７１Ｃ  センター構成要素（センターインジケータの構成要素）
７２    サイドインジケータ
７２Ｃ  サイド構成要素（サイドインジケータの構成要素）
９０    ファスニングテープ
Ｓ１    前胴回り域
Ｓ２    後胴回り域
Ｓ３    股下域
ＶＬ    仮想線
【図１】
2020065898.tif 000003
【図２】
2020065898.tif 000004
【図３】
2020065898.tif 000005
【図４】
2020065898.tif 000006
【図５】
2020065898.tif 000007
【図６】
2020065898.tif 000008